(57)【要約】      （修正有）【課題】連結された３つ以上の複数のマット部を広げたり、連結部での折り畳みを繰り返しても、その連結部が弱体化し難く、かつ、連結部で折畳んだ場合には複数のマット部の厚さの合計となり、クッションとしての使用勝手を向上できる折畳み式マットレスを提供する。【解決手段】４つのマット部１１〜１４を隣接するマット部同士の連結部で折り重ね可能に連結した折畳み式マットレス１であって、４つのマット部を広げると板状の１枚のマットレスとなる一方、４つのマット部をそれぞれの連結部で折畳むと各段のマット部が１つのマット部で構成され、かつ、４つのマット部の数と４段で側面視ほぼ直角三角形状のクッションになる。尚、４つのマット部を広げると板状の１枚のマットレスとして使用する場合、同じ厚さで同じ横幅の補助マット２０を並べて使用しても良い。【選択図】図１
0003223896.tif 000002
【実用新案登録請求の範囲】
【請求項１】
３つ以上の複数のマット部を隣接するマット部同士の連結部で折り重ね可能に連結した折畳み式マットレスであって、
前記複数のマット部を広げると板状の１枚のマットレスとなる一方、複数のマット部をそれぞれの連結部で折畳むと各段のマット部が１つのマット部で構成され、かつ、前記複数のマット部の数と同じ３つ以上の複数段で側面視ほぼ直角三角形状のクッションになるように構成したことを特徴とする折畳み式マットレス。
【請求項２】
請求項１記載の折畳み式マットレスにおいて、
前記複数のマット部の内、折畳んだ際、最上位のマット部は、側面が直角三角形で、かつ、最上位のマット部以外の２段目以降のマット部は、最上位のマット部の側面の直角三角形の高さと同じ厚さで側面が直角台形に構成されており、
最上位のマット部の側面の三角形の底辺は、上から２段目のマット部の側面の直角台形の上底の長さと同じで、上から３段目以降のマット部がある場合は、当該３段目以降のマット部の側面の直角台形の上底の長さはその直上となるマット部の側面の直角台形の下底の長さと同じで、かつ、その側面の直角台形の下底の長さはその直下となるマット部がある場合はその側面の直角台形の上底の長さと同じで、
２段目以降のマット部の側面の直角台形の鋭角と、前記最上位のマット部の側面の直角三角形の鋭角の一つとは同じ角度で、前記複数のマット部を折り重ねることにより全体として側面が三角形になることを特徴とする折畳み式マットレス。
【請求項３】
請求項２記載の折畳み式マットレスにおいて、
前記複数のマット部は、４つのマット部で構成されており、
さらに、前記複数のマット部とは別体で、かつ、前記複数のマット部と同じ厚さおよび同じ幅を有する側面が長方形の補助マットを有することを特徴とする折畳み式マットレス。
【考案の詳細な説明】
【技術分野】
【０００１】
本考案は、複数のマット部を連結部で折り重ね可能に連結した折畳み式マットレスに関するものである。
【背景技術】
【０００２】
複数のマット部を折り重ね可能に連結した折畳み式マットレスとして、第１〜第３のマットレス（マット部）を広げると板状の１枚のマットレスとなったり、側面視、三角形状のクッションになる折畳み式マットレスが提案されている（例えば、特許文献１参照。）。
【先行技術文献】
【特許文献】
【０００３】
【特許文献１】実開昭６０−３９６６０号公報
【考案の概要】
【考案が解決しようとする課題】
【０００４】
しかし、上述の特許文献１に記載された折畳み式マットレスは、第１〜第３のマットレス（マット部）から構成され、その３つのマットレス（マット部）が同じ箇所である一箇所で連結されているため、広げたり、折り畳みを繰り返すと、その連結部が弱体化して外装生地が破れたり、第１〜第３のマットレス（マット部）が分離し易いという問題点がある。
【０００５】
また、第１〜第３のマットレス（マット部）を広げて側面視、三角形状のクッションにした場合も、第１のマットレス（マット部）および第２のマットレス（マット部）が最下層に並び、３つのマットレス（マット部）を使用していてもその高さが１枚のマットレス（マット部）の厚さ（高さ）の２倍になるため、クッションとしての使用勝手が優れないという問題がある。
【０００６】
そこで、本考案は、このような問題点を解決するためになされたもので、３つ以上の複数のマット部を広げたり、連結部での折り畳みを繰り返しても、その連結部が弱体化し難く、かつ、連結部で折畳んだ場合には複数のマット部の厚さの合計となり、クッションとしての使用勝手を向上させることができる折畳み式マットレスを提供することを目的とする。
【課題を解決するための手段】
【０００７】
前記課題を解決するため、本考案に係る折畳み式マットレスは、３つ以上の複数のマット部を隣接するマット部同士の連結部で折り重ね可能に連結した折畳み式マットレスであって、前記複数のマット部を広げると板状の１枚のマットレスとなる一方、複数のマット部をそれぞれの連結部で折畳むと各段のマット部が１つのマット部で構成され、かつ、前記複数のマット部の数と同じ３つ以上の複数段で側面視ほぼ直角三角形状のクッションになるように構成したことを特徴とする。
また、本考案に係る折畳み式マットレスでは、前記複数のマット部の内、折畳んだ際、最上位のマット部は、側面が直角三角形で、かつ、最上位のマット部以外の２段目以降のマット部は、最上位のマット部の側面の直角三角形の高さと同じ厚さで側面が直角台形に構成されており、最上位のマット部の側面の三角形の底辺は、上から２段目のマット部の側面の直角台形の上底の長さと同じで、上から３段目以降のマット部がある場合は、当該３段目以降のマット部の側面の直角台形の上底の長さはその直上となるマット部の側面の直角台形の下底の長さと同じで、かつ、その側面の直角台形の下底の長さはその直下となるマット部がある場合はその側面の直角台形の上底の長さと同じで、２段目以降のマット部の側面の直角台形の鋭角と、前記最上位のマット部の側面の直角三角形の鋭角の一つとは同じ角度で、前記複数のマット部を折り重ねることにより全体として側面が三角形になることも特徴とする。
また、本考案に係る折畳み式マットレスでは、前記複数のマット部は、４つのマット部で構成されており、さらに、前記複数のマット部とは別体で、かつ、前記複数のマット部と同じ厚さおよび同じ幅を有する側面が長方形の補助マットを有することも特徴とする。
【考案の効果】
【０００８】
本考案に係る折畳み式マットレスによれば、３つ以上の複数のマット部を隣接するマット部同士の連結部で折り重ね可能に連結した折畳み式折畳み式マットレスであって、複数のマット部を広げると板状の１枚の折畳み式マットレスとなる一方、複数のマット部をそれぞれの連結部で折畳むと各段のマット部が１つのマット部で構成され、かつ、複数のマット部の数と同じ３つ以上の複数段で側面視ほぼ直角三角形状のクッションになるように構成している。
そのため、３つ以上の複数のマット部を広げたり、連結部での折り畳みを繰り返しても、連結部は一箇所ではないため、連結部を弱体化し難く構成することができる。
また、連結部で折畳んだ場合には３つ以上の複数のマット部の数と同じ３段以上の厚さの合計となり、高さが高くなるので、クッションとしての使用勝手を向上させることができる。
【図面の簡単な説明】
【０００９】
【図１】本考案に係る実施形態の折畳み式マットレスを構成するベースマットと補助マットとを並べ、ベースマットは折畳んだ状態で示す斜視図である。
【図２】ベースマットを広げた状態を示す斜視図である。
【図３】ベースマットを折畳んだ状態を示す斜視図である。
【図４】ベースマットと補助マットとが収納袋に入っている状態を示す斜視図である。
【図５】収納袋から取り出したベースマットを１回折畳んだ状態を示す斜視図である。
【図６】側面視、直角三角形上に折畳んだベースマットと補助マットとをベッドの上に載せた状態を示す斜視図である。
【図７】広げたベースマットと補助マットとを隣接して並べた状態を示す斜視図である。
【図８】広げたベースマットと補助マットとを隣接して並べてベッドの上に置き、その上にシーツや薄手のマット等を掛けた状態を示す斜視図である。
【考案を実施するための形態】
【００１０】
次に、本考案に係る折畳み式マットレスの実施形態について、添付図面を参照しながら説明する。尚、以下に説明する実施の形態はあくまで本考案の一例であり、本考案が下記に説明する実施の形態に限定されるものではなく、本考案の技術的思想の範囲内で適宜変更可能である。
【００１１】
実施形態の折畳み式マットレス１は、図１に示すように、傾斜面を有する４つのマット部１１〜１４を隣接するマット部１１〜１４同士の連結部で折り重ね可能に連結した折畳み式ベースマット１０と、折畳み式ベースマット１０とは別体で切り離されて補助的に使用する補助マット２０とを有している。
【００１２】
折畳み式ベースマット１０を構成する４つのマット部１１〜１４と補助マット２０とは、それぞれ、ウレタンフォーム等の発泡樹脂により形成されたクッション体を、綿やポリエステル等の繊維からなる表生地で被覆して構成されている。そのため、表生地には、それぞれ、４つのマット部１１〜１４と補助マット２０を構成するクッション体がそれぞれ個別に挿入できるように図示しないチャックで開閉可能な挿入口が設けられている。また、折畳み式ベースマット１０の表生地には、中に入れた４つのマット部１１〜１４を構成する各クッション体が移動しないようにそれぞれの境界が縫い付けられる等して区画された収納室が設けられており、縫い付ける等した境界部分、すなわち各収納室の境界部分が連結部となる。
【００１３】
＜折畳み式ベースマット１０＞
折畳み式ベースマット１０は、隣接するマット部同士が連結部で連結された４つのマット部１１〜１４を広げると、図２に示すように板状の１枚のマットレスとなる一方、４つのマット部１１〜１４をそれぞれの連結部で折畳むと、図１や図３等に示すように各段のマット部１１〜１４が１つのマット部で構成され、かつ、４つのマット部１１〜１４の数と同じ４段で側面視ほぼ直角三角形状のクッションになるように構成している。ただし、４つのマット部１１〜１４はウレタンフォーマット等の発泡樹脂により形成されたクッション体を表生地により被覆して構成されているため、その点では角が丸まっていたり、多少の角度誤差が発生している。
【００１４】
具体的には、４つのマット部１１〜１４の内、折畳んだ際、最上位のマット部１１は、側面がほぼ直角三角形で、かつ、最上位のマット部１１以外の２段目〜４段目となるマット部１２〜１４は、最上位のマット部１１の側面の直角三角形の高さと同じ厚さで側面が直角台形に構成されている。
【００１５】
つまり、４つのマット部１１〜１４は、図２や図３等に示すように厚さ（高さ）が例えば約１１．５ｃｍ、幅がシングルベッド用で約９１ｃｍとしている
【００１６】
側面が直角三角形なるように折畳んだ際、最上位となるマット部１１は、底辺の長さが約２０ｃｍである。尚、マット部１１側面の直角三角形の内角は、それぞれ、およそ９０度と、３０度、６０度としている。
【００１７】
側面が直角三角形なるように折畳んだ際、上から２段目となるマット部１２は、図１や図３等に示すようにその上にマット部１１が乗るため、図２や図３等に示すように上底の長さは約２０ｃｍ、下底の長さは４０ｃｍとなり、上から３段目となるマット部１３は、上にマット部１２が乗るため、上底の長さは約４０ｃｍ、下底の長さは６０ｃｍとなる。
【００１８】
側面が直角三角形なるように折畳んだ際、上から４段目の最下層のマット部１４は、図１や図３等に示すように上にマット部１３が乗るため、上底の長さは約６０ｃｍ、下底の長さは８０ｃｍとなる。
【００１９】
そのため、４つのマット部１１〜１４が連結された本実施形態の折畳み式ベースマット１０を折畳むと、図３等に示すように底辺が４段目の最下層のマット部１４の下底の長さと同じ８０ｃｍで、高さが４つのマット部１１〜１４の合計厚さである４６（１１．５ｃｍ×４）ｃｍの側面視ほぼ直角三角形状のクッションになる。尚、図３に示すように側面視ほぼ直角三角形状に折畳んだ場合の傾斜面の長さは、約９２ｃｍとなる。
【００２０】
これに対し、マット部１１とマット部１２とは折畳むものの、４つのマット部１１〜１４が連結された本実施形態の折畳み式ベースマット１０を広げると、その長さは、図２に示すように約１６０ｃｍとなり、厚さ（高さ）が約１１．５ｃｍ、幅がシングルベッド用で約９１ｃｍのマットレスとなる。
【００２１】
そのため、マットレスとして使用する場合、長さが１６０ｃｍで短い可能性があるため、本実施形態では、折畳み式ベースマット１０とは別体の補助マット２０を隣接して並べて使用する。
【００２２】
＜補助マット２０＞
補助マット２０は、図１に示すように４つのマット部１１〜１４とは別体で構成されており、４つのマット部１１〜１４と同じ厚さ（高さ）の約１１．５ｃｍ、幅がシングルベッド用で約９１ｃｍのマットで、補助マット２０の長さは、例えば、上から２段目のマット部１２の側面の直角台形の下底の長さと同じである４０ｃｍとしている。
【００２３】
そのため、図２に示すように広げた本実施形態の折畳み式ベースマット１０と、補助マット２０とを隣接させて並べると、後述する図７に示すように全体の長さが１６０ｃｍ＋４０ｃｍの２００ｃｍとなり、ほぼ通常のマットレスの長さと同じにすることができる。
【００２４】
＜実施形態の折畳み式マットレス１の使用方法＞
【００２５】
（折畳み式ベースマット１０のみを側面視三角形状に折畳んでクッションとして使用する場合）
例えば、図４に示すような状態に折畳まれた状態の折畳み式ベースマット１０と補助マット２０とが収納された保存袋(図示せず。)から折畳み式ベースマット１０のみを取り出し、まずは矢印に示すように上から２段目となるマット部１２の長さ約４０ｃｍの下底面が上から３段目となるマット部１３の長さ約４０ｃｍの上底面に乗るように折畳む。すると、図５に示すように３段となる。
【００２６】
次に、図５の矢印に示すように最上位（１段目）となるマット部１１の長さ約２０ｃｍの下底面が上から２段目となるマット部１２の長さ約２０ｃｍの上底面に乗るように折畳む。すると、４つのマット部１１〜１４からなる折畳み式ベースマット１０は、図１や図３等に示すように側面視ほぼ直角３角形状で４段のクッションとなる。
【００２７】
そのため、側面視ほぼ直角３角形状で４段のクッションとなった折畳み式ベースマット１０を、例えば、床やカーペット、敷布団の敷いたり、さらには図６に示すように、ベッド２等の上に載せて、傾斜角約３０度で高さ約４６ｃｍの背もたれクッションにすることができる。
【００２８】
その結果、ベッド２等の上に敷いた側面視ほぼ直角３角形状で４段のクッションとなった折畳み式ベースマット１０の傾斜面にユーザーが背中や首、頭等を当てたり、６０度の角度の頂点に首や頭等を載せることができるので、首や背骨に掛かる負担を軽減することが可能となり、使用感の優れたクッションを形成することができる。
【００２９】
この時、補助マット２０は、図８に示すように面視ほぼ直角３角形状で４段のクッションとなった折畳み式ベースマット１０と共に、ベッド２の上に載せ、側面視ほぼ直角３角形状で４段のクッションとなった折畳み式ベースマット１０から距離を離して使用しても良いし、さらには使用せずにベッド２の下等に保管するようにしても良い。
【００３０】
（折畳み式ベースマット１０と補助マット２０を並べて使用する場合）
上述したように折畳み式ベースマット１０を４段の側面視ほぼ直角３角形状に折畳まずに広げて使用する場合には、上述したように厚さ（高さ）が約１１．５ｃｍ、幅がシングルベッド２用の約９１ｃｍで、長さが１６０ｃｍのマットレスとなる。
【００３１】
しかし、これでは通常の２００ｃｍ前後の長さを有するベッド２のマットレスの全長より短いため、図８（ａ）に示すように広げた本実施形態の折畳み式ベースマット１０と補助マット２０とを隣接させて並べると、補助マット２０は、４つのマット部１１〜１４と同じ厚さ（高さ）の約１１．５ｃｍ、幅も同じ約９１ｃｍで、その長さが約４０ｃｍであるため、広げた折畳み式ベースマット１０の全長の１６０ｃｍと合わせて横幅約９１ｃｍ、長さ約２００ｃｍのマットレスとなる。
【００３２】
そのため、このように広げた本実施形態の折畳み式ベースマット１０と補助マット２０とを隣接させて並べて横幅約９１ｃｍ、長さ約２００ｃｍのマットレスとしてベッド２の上に載せて使用する場合は、図9に示すように、折畳み式ベースマット１０と補助マット２０とがズレないようシーツや薄手のマット３等を掛けて使用すると良い。
【００３３】
＜実施形態の折畳み式マットレス１の主な効果＞
以上説明したように、本考案に係る実施形態の折畳み式マットレス１によれば、４つのマット部１１〜１４を隣接するマット部同士の連結部で折り重ね可能に連結したマットレスであって、４つのマット部１１〜１４を広げると板状の１枚のマットレスとなる一方、４つのマット部１１〜１４をそれぞれの連結部で折畳むと各段のマット部が１つのマット部で構成され、かつ、４つのマット部１１〜１４の数と同じ４段で側面視ほぼ直角三角形状のクッションになるように構成している。
【００３４】
そのため、４つのマット部１１〜１４を広げたり、連結部での折り畳みを繰り返しても、その連結部が弱体化し難く、かつ、連結部で折畳んだ場合には４つのマット部１１〜１４のマット部の数と同じ４段の厚さとなるので、クッションとしての使用勝手を向上させることができる。
【００３５】
また、本考案に係る実施形態の折畳み式マットレス１は、４つのマット部１１〜１４とは別体で、４つのマット部１１〜１４と同じ厚さで、かつ、同じ幅で側面が長方形の補助マット２０を備えているため、補助マット２０の長さは、上から２段目のマット部１２の側面の直角台形の下底の長さと同じである約４０ｃｍとしている。
【００３６】
そのため、広げた折畳み式ベースマット１０と補助マット２０とを隣接させて並べると、補助マット２０の長さが約４０ｃｍであるため、広げた折畳み式ベースマット１０の全長の１６０ｃｍと合わせて横幅約９１ｃｍ、長さ約２００ｃｍのマットレスとして使用することが可能となり、通常の全長のマットレスとしても使用することも可能となり、使用勝手を向上させることができる。
【００３７】
尚、以上説明した実施形態の説明では、折畳み式ベースマット１０および補助マット２０の横幅は約９１ｃｍのシングルサイズ用のマットレスの横幅を一例に説明したが、本発明ではこれに限らず、横幅が例えば約１８０ｃｍ程度のダブルサイズ用の横幅にしても勿論良い。
【００３８】
また、広げた折畳み式ベースマット１０と補助マット２０とを隣接させて並べる場合を考慮して、折畳み式ベースマット１０と補助マット２０とが離れないように面ファスナー等を設けても勿論良い。
【００３９】
また、本発明では、補助マット２０は任意な物であり、省略しても良く、その場合は広げて１枚のマットレスとして使用した際に長さが１６０ｃｍ程度の子供用のマットレスとなる。また、折畳み式ベースマット１０の寸法を調整し、例えば、４段のマット部１１〜１４それぞれの長さを５ｃｍ程度長くして、広げて１枚のマットレスとして使用した際に長さが２００ｃｍ前後となる場合は、補助マット２０を省略して、折畳み式ベースマット１０のみで使用しても大人用のマットレスとして使用可能である。
【００４０】
また、以上説明した実施形態の説明では、折畳み式ベースマット１０は、４段のマット部１１〜１４で構成したが、本発明ではこの段数に制限されるものでなく、６段や８段のマット部で構成しても勿論良い。
【符号の説明】
【００４１】
１  折畳み式マットレス
１０  折畳み式ベースマット
１１  １段目（最上位）のマット部
１２  ２段目のマット部
１３  ３段目のマット部
１４  ４段目（最下位）のマット部
２０  補助マット
２  ベッド
３  シーツや薄手のマット
【図１】
0003223896.tif 000003
【図２】
0003223896.tif 000004
【図３】
0003223896.tif 000005
【図４】
0003223896.tif 000006
【図５】
0003223896.tif 000007
【図６】
0003223896.tif 000008
【図７】
0003223896.tif 000009
【図８】
0003223896.tif 000010